(57)【特許請求の範囲】
【請求項１】
パーソナルコンピュータ等の電子機器に備えられるＵＳＢポートに着脱自在に接続したＵＳＢコネクタを保持するＵＳＢコネクタ保持具であり、
前記ＵＳＢコネクタに装着される取付部材と、
前記取付部材に回転可能に保持される線材で形成された保持部材を有し、
前記保持部材は、一端に形成された係止部と、他端に形成された前記係止部を回転する摘み部とを有し、
前記係止部は、広幅の部分と、細幅の部分と、を有し、
前記広幅の部分を、前記ＵＳＢポートと前記ＵＳＢコネクタに対面させて前記ＵＳＢポートと前記ＵＳＢコネクタとの隙間に挿入可能であり、
前記摘み部を把持して前記係止部を前記ＵＳＢポートと前記ＵＳＢコネクタとの隙間に挿入された状態で回転させ、
前記ＵＳＢポートと前記ＵＳＢコネクタとに、前記細幅の部分を圧接して固定することを特徴とするＵＳＢコネクタ保持具。
【請求項２】
パーソナルコンピュータ等の電子機器に備えられるＵＳＢポートに着脱自在に接続したＵＳＢコネクタを保持するＵＳＢコネクタ保持具であり、
前記ＵＳＢコネクタに装着される取付部材と、
前記取付部材に回転可能に保持される線材で形成された保持部材を有し、
前記保持部材は、一端に形成された係止部と、他端に形成された前記係止部を回転する摘み部とを有し、
前記係止部は、曲げ部と、この曲げ部から延びる先端部と、を有し、
前記係止部を、前記ＵＳＢポートと前記ＵＳＢコネクタとの隙間に挿入可能であり、
前記摘み部の操作により前記ＵＳＢポートと前記ＵＳＢコネクタとの隙間に挿入した前記係止部を回転させ、
前記ＵＳＢポートと前記ＵＳＢコネクタとに、前記先端部と前記曲げ部を鉤止して固定することを特徴とするＵＳＢコネクタ保持具。
【発明の詳細な説明】
【技術分野】
【０００１】
この発明は、パーソナルコンピュータ等の電子機器に接続したＵＳＢコネクタを保持するＵＳＢコネクタ保持具に関する。
【背景技術】
【０００２】
ＵＳＢデバイスは、ＵＳＢを用いてパーソナルコンピュータ等の電子機器に接続してデータの読み書きを行う外部補助装置であり、ＵＳＢコネクタを介して本体に接続する形状のものである。
【０００３】
代表的なＵＳＢデバイスであるＵＳＢメモリは、プラグ・アンド・プレイが可能なストレージデバイスとしてＵＳＢポートを有するパーソナルコンピュータ等の電子機器に広く用いられている。特に、コネクタケーブルを持たないスティックタイプと称されるものが多く用いられている。この種のＵＳＢメモリは、通常、筐体内部にフラッシュメモリとＵＳＢコントローラとを有して構成されている（特許文献１）。
【先行技術文献】
【特許文献】
【０００４】
【特許文献１】特開２０１０−１９１７４８号公報
【発明の概要】
【発明が解決しようとする課題】
【０００５】
ＵＳＢデバイスは、パーソナルコンピュータ等の電子機器に備えられるＵＳＢポートに接続した状態では、そのコネクタが電子機器から外方へ突出しており、装着時の安定性が悪く、操作者が触れたり、電子機器を動かすことがあるとＵＳＢコネクタがぐらつき接続不良を生じたり、脱落することがあった。
【０００６】
この発明は、かかる実情に鑑みてなされたもので、ＵＳＢポートに接続した状態での安定性が向上し、ＵＳＢコネクタの接続不良や脱落を防止することが可能なＵＳＢコネクタ保持具を提供することを目的とする。
【課題を解決するための手段】
【０００７】
前記課題を解決し、かつ目的を達成するために、この発明は、以下のように構成した。
【０００８】
請求項１に記載の発明は、パーソナルコンピュータ等の電子機器に備えられるＵＳＢポートに着脱自在に接続したＵＳＢコネクタを保持するＵＳＢコネクタ保持具であり、
前記ＵＳＢコネクタに装着される取付部材と、
前記取付部材に回転可能に保持される線材で形成された保持部材を有し、
前記保持部材は、一端に形成された係止部と、他端に形成された前記係止部を回転する摘み部とを有し、
前記係止部は、広幅の部分と、細幅の部分と、を有し、
前記広幅の部分を、前記ＵＳＢポートと前記ＵＳＢコネクタに対面させて前記ＵＳＢポートと前記ＵＳＢコネクタとの隙間に挿入可能であり、
前記摘み部を把持して前記係止部を前記ＵＳＢポートと前記ＵＳＢコネクタとの隙間に挿入された状態で回転させ、
前記ＵＳＢポートと前記ＵＳＢコネクタとに、前記細幅の部分を圧接して固定することを特徴とするＵＳＢコネクタ保持具である。
【０００９】
請求項２に記載の発明は、パーソナルコンピュータ等の電子機器に備えられるＵＳＢポートに着脱自在に接続したＵＳＢコネクタを保持するＵＳＢコネクタ保持具であり、
前記ＵＳＢコネクタに装着される取付部材と、
前記取付部材に回転可能に保持される線材で形成された保持部材を有し、
前記保持部材は、一端に形成された係止部と、他端に形成された前記係止部を回転する摘み部とを有し、
前記係止部は、曲げ部と、この曲げ部から延びる先端部と、を有し、
前記係止部を、前記ＵＳＢポートと前記ＵＳＢコネクタとの隙間に挿入可能であり、
前記摘み部の操作により前記ＵＳＢポートと前記ＵＳＢコネクタとの隙間に挿入した前記係止部を回転させ、
前記ＵＳＢポートと前記ＵＳＢコネクタとに、前記先端部と前記曲げ部を鉤止して固定することを特徴とするＵＳＢコネクタ保持具である。
【発明の効果】
【００１０】
前記構成により、この発明は、以下のような効果を有する。
【００１１】
この発明では、ＵＳＢコネクタ保持具の係止部をＵＳＢポートとＵＳＢコネクタとの隙間に挿入し、摘み部による回転によりＵＳＢポートとＵＳＢコネクタとの隙間に挿入された状態でＵＳＢポートとＵＳＢコネクタに圧接又は鉤止して固定することで、ＵＳＢコネクタの装着時の安定性が向上し、操作者が触れたり、電子機器を動かすことがあってＵＳＢコネクタがぐらつくことがない。
【図面の簡単な説明】
【００１２】
【図１】第１の実施の形態のＵＳＢコネクタ保持具の説明図である。
【図２】取付部材の斜視図である。
【図３】保持部材の説明図である。
【図４】ＵＳＢコネクタ保持具の使用を説明する図である。
【図５】第２の実施の形態のＵＳＢコネクタ保持具の説明図である。
【図６】保持部材の説明図である。
【図７】ＵＳＢコネクタ保持具の使用を説明する図である。
【発明を実施するための形態】
【００１３】
以下、この発明のＵＳＢコネクタ保持具の実施の形態について説明する。この発明の実施の形態は、発明の最も好ましい形態を示すものであり、この発明はこれに限定されない。
【００１４】
［第１の実施の形態］
第１の実施の形態のＵＳＢコネクタ保持具を、図１乃至図４に示し、図１はＵＳＢコネクタ保持具の説明図、図２は取付部材の斜視図、図３は保持部材の説明図、図４はＵＳＢコネクタ保持具の使用を説明する図である。
【００１５】
このＵＳＢコネクタ保持具１０は、パーソナルコンピュータ等の電子機器に備えられるＵＳＢポートに着脱自在に接続するＵＳＢコネクタ１００を保持するものであり、ＵＳＢコネクタ１００に装着される取付部材２０と、取付部材２０に回転可能に保持される線材で形成された保持部材３０を有する。
【００１６】
取付部材２０は、例えば樹脂などで環状に形成され、ＵＳＢコネクタ１００のコネクタ１０１に装着される。この取付部材２０にはコネクタ挿入孔２１が形成され、コネクタ挿入孔２１の内壁には、挿入方向に凹み部２２が形成され、この凹み部２２に保持部材３０が回転可能に保持される。
【００１７】
保持部材３０は、鋼材で形成された針金状であり、剛性を有しており、使用するときに変形しない構造であり、部材本体３１の一端に形成された係止部３２と、他端に形成された係止部３２を回転する摘み部３３とを有する。部材本体３１は、取付部材２０の凹み部２２に保持可能な径と、長さに形成され、回転可能である。
【００１８】
係止部３２は、プレス加工により板状に形成され、広幅の部分３２ａと、細幅の部分３２ｂと、を有する。広幅の部分３２ａの幅がＬ１であり、細幅の部分３２ｂの幅がＬ２である。
【００１９】
この係止部３２は、ＵＳＢポートとＵＳＢコネクタとの隙間に広幅の部分３２ａを対面させて挿入可能であり、摘み部３３による回転によりＵＳＢポートとＵＳＢコネクタとの隙間に挿入された状態でＵＳＢポートとＵＳＢコネクタに細幅の部分３２ｂを圧接して固定する。
【００２０】
細幅の部分３２ｂの幅Ｌ２は、ＵＳＢポートとＵＳＢコネクタとの隙間よりやや小さくＵＳＢポートとＵＳＢコネクタとの隙間に挿入可能な大きさに形成されている。また、広幅の部分３２ａの幅Ｌ１は、ＵＳＢポートとＵＳＢコネクタとの隙間よりやや大きくＵＳＢポートとＵＳＢコネクタに細幅の部分３２ｂを圧接して固定することが可能な大きさに形成されている。
【００２１】
摘み部３３は、部材本体３１を曲げ加工により形成され、摘み部３３は容易に摘むことが可能な形状である。
【００２２】
このＵＳＢコネクタ保持具１０の使用を説明すると、図１に示すように、取付部材２０の凹み部２２に、保持部材３０の部材本体３１を保持した状態とし、この状態でＵＳＢコネクタ１００のコネクタ１０１に装着する。
【００２３】
ＰＣ１は、ＵＳＢコネクタ１００が接続されるＵＳＢポート３を備え、このＵＳＢポート３のコネクタ２に、ＵＳＢコネクタ１００のコネクタ１０１を接続すると、ＰＣ１等のホスト側の機器とデータ通信を行える。このＵＳＢポート３には押えバネ（図示せず）を設けて、ＵＳＢコネクタ１００のコネクタ１０１を押さえるようになっているが、このＵＳＢポート３には押えバネ（図示せず）を設けることによって生じる開口部がない形式のものである。
【００２４】
このＵＳＢコネクタ保持具１０は、ＵＳＢポート３に押えバネ（図示せず）を設けることによって生じる開口部がない形式のものに対応しており、ＵＳＢコネクタ１００を接続することで、ＵＳＢコネクタ保持具１０は、図４（ａ）に示すように、係止部３２がＵＳＢポート３とＵＳＢコネクタ１００のコネクタ１０１との隙間に広幅の部分３２ａを対面させて挿入される。
【００２５】
そして、摘み部３３を摘み、図４（ｂ）に示すように、回転するとＵＳＢポート３とＵＳＢコネクタ１００のコネクタ１０１との隙間に挿入された状態で係止部３２が回転し、ＵＳＢポート３とＵＳＢコネクタ１００のコネクタ１０１に細幅の部分３２ｂを圧接して固定する。
【００２６】
このように、ＵＳＢコネクタ保持具１０は、係止部３２によってＵＳＢポート３とＵＳＢコネクタ１００のコネクタ１０１に圧接して固定することができ、ＵＳＢコネクタ１００の装着時の安定性が向上し、操作者がＵＳＢコネクタ１００に触れたり、電子機器を動かすことがあってもＵＳＢコネクタ１００がぐらつくことがない。したがって、ＵＳＢコネクタ１００がぐらつきや緩みが原因による接続不良や脱落を防止することができる。
【００２７】
［第２の実施の形態］
第２の実施の形態のＵＳＢコネクタ保持具を、図５乃至図７に示し、図５はＵＳＢコネクタ保持具の説明図、図６は保持部材の説明図、図７はＵＳＢコネクタ保持具の使用を説明する図である。この第２の実施の形態では、第１の実施の形態と同じ構成は同じ符号を付して説明を省略する。
【００２８】
このＵＳＢコネクタ保持具１０は、パーソナルコンピュータ等の電子機器に備えられるＵＳＢポートに着脱自在に接続するＵＳＢコネクタ１００を保持するものであり、ＵＳＢコネクタ１００に装着される取付部材２０と、取付部材２０に回転可能に保持される線材で形成された保持部材４０を有する。取付部材２０は、第１の実施の形態と同様に構成され、凹み部２２に保持部材４０が回転可能に保持される。
【００２９】
保持部材４０は、鋼材で形成された針金状であり、剛性を有しており、使用するときに変形しない構造であり、部材本体４１の一端に形成された係止部４２と、他端に形成された係止部４２を回転する摘み部４３とを有する。部材本体３１は、取付部材２０の凹み部２２に保持可能な径と、長さに形成され、回転可能である。
【００３０】
係止部４２は、部材本体４１の先端を屈曲加工により鍵状とし、プレス加工により板状に形成され、曲げ部４２ａから直角に伸び、先端部４２ｂと曲げ部４２ａとの距離がＬ３であり、幅がＬ４である。
【００３１】
この係止部４２は、ＵＳＢポートとＵＳＢコネクタとの隙間に先端部４２ｂと曲げ部４２ａが沿うようにして挿入可能であり、摘み部４３による回転によりＵＳＢポートとＵＳＢコネクタとの隙間に挿入された状態でＵＳＢポートとＵＳＢコネクタに先端部４２ｂと曲げ部４２ａを鉤止して固定する。
【００３２】
係止部２２の先端部４２ｂと曲げ部４２ａとの距離Ｌ３は、ＵＳＢポートとＵＳＢコネクタとの隙間よりやや大きくＵＳＢポートとＵＳＢコネクタに先端部４２ｂと曲げ部４２ａとを鉤止して固定することが可能な大きさに形成されている。
【００３３】
摘み部４３は、部材本体４１の後端を曲げ加工により形成され、わずかな力で回転可能な長さで、容易に摘むことが可能な形状である。
【００３４】
このＵＳＢコネクタ保持具１０の使用を説明すると、図５に示すように、取付部材２０の凹み部２２に、保持部材４０の部材本体４１を保持した状態とし、この状態でＵＳＢコネクタ１００のコネクタ１０１に装着する。
【００３５】
ＵＳＢポート３のコネクタ２に、ＵＳＢコネクタ１００のコネクタ１０１を接続すると、ＰＣ１等のホスト側の機器とデータ通信を行える。このＵＳＢポート３には押えバネ（図示せず）を設けて、ＵＳＢコネクタ１００のコネクタ１０１を押さえるようになっており、このＵＳＢポート３には押えバネ（図示せず）を設けることによって開口部３ａが生じる形式のものである。
【００３６】
このＵＳＢコネクタ保持具１０は、ＵＳＢポート３に押えバネ（図示せず）を設けることによって開口部が生じる形式のものに対応しており、ＵＳＢコネクタ１００を接続することで、ＵＳＢコネクタ保持具１０は、図７（ａ）に示すように、係止部４２をＵＳＢポート３とコネクタ２との隙間に先端部４２ｂと曲げ部４２ａが沿うようにして挿入される。
【００３７】
そして、摘み部４３を摘み、回転するとＵＳＢポート３とＵＳＢコネクタ５との隙間に挿入された状態で、係止部４２が回転してＵＳＢポート３とＵＳＢコネクタ１００のコネクタ１０１に先端部４２ｂと曲げ部４２ａとが鉤止して固定する。
【００３８】
このように、ＵＳＢコネクタ保持具１０は、係止部４２によってＵＳＢポート３とＵＳＢコネクタ１００のコネクタ１０１に鉤止して固定することで、ＵＳＢコネクタ１００の装着時の安定性が向上し、操作者がＵＳＢコネクタ１００に触れたり、電子機器を動かすことがあってＵＳＢコネクタ１００がぐらつくことがない。したがって、ＵＳＢコネクタ１００がぐらつきや緩みが原因による接続不良や脱落を防止することができる。
【産業上の利用可能性】
【００３９】
この発明は、パーソナルコンピュータ等の電子機器に接続したＵＳＢコネクタを保持するＵＳＢコネクタ保持具に適用可能であり、ＵＳＢポートに接続した状態での安定性が向上し、ＵＳＢコネクタの接続不良や脱落を防止することが可能である。
【符号の説明】
【００４０】
１０  ＵＳＢコネクタ保持具
３０，４０  保持部材
３１，４１  部材本体
３２，４２  係止部
３３，４３  摘み部
【要約】
【課題】ＵＳＢポートに接続した状態での安定性が向上し、ＵＳＢコネクタの接続不良や脱落を防止することが可能である。
【解決手段】パーソナルコンピュータ等の電子機器に備えられるＵＳＢポートに着脱自在に接続したＵＳＢコネクタを保持するＵＳＢコネクタ保持具であり、ＵＳＢコネクタに装着される取付部材と、取付部材に回転可能に保持される線材で形成された保持部材を有し、保持部材は、一端に形成された係止部と、他端に形成された係止部を回転する摘み部とを有し、ＵＳＢコネクタ保持具の係止部をＵＳＢポートとＵＳＢコネクタとの隙間に挿入し、摘み部による回転によりＵＳＢポートとＵＳＢコネクタとの隙間に挿入された状態でＵＳＢポートとＵＳＢコネクタに圧接又は鉤止して固定する。
【選択図】図１【図１】
0004803688.tif 000002
【図２】
0004803688.tif 000003
【図３】
0004803688.tif 000004
【図４】
0004803688.tif 000005
【図５】
0004803688.tif 000006
【図６】
0004803688.tif 000007
【図７】
0004803688.tif 000008